(57)【要約】 【課題】本考案は黄金分割比率を利用した四角形の描示や長さの黄金分割が誰にでも簡単に行え、その四角形や長さの黄金分割を用いて図形を描くと、風景画や静止画を美しく描写したものになると共に特にアニメーションを描写する際に必要な小数点の付く数値の大きさの四角形であっても容易に黄金分割比率の四角形を誰にでも簡単に描け、バランスの良い画面描写が簡単に描くことが可能となり、且つペン書きしても紙が汚れにくくなる黄金分割比率を表示した物差しを提供することを目的とする。【解決手段】縦断面形状が逆台形の長尺板１の長手方向の一辺にメートル尺度或いはインチ尺度の目盛２を表示すると共に他辺には、目盛２に対応した黄金分割比率の黄金比目盛３が表示される物差しと成す。また長尺板１の表面に略コの字状のくり抜き穴を穿設させると良い。【選択図】図１
0003112478.tif 000002
【実用新案登録請求の範囲】
【請求項１】
長尺板（１）の長手方向の一辺に、メートル尺度或いはインチ尺度の目盛（２）を表示し、他辺には、前記目盛（２）に対応した黄金分割比率の黄金比目盛（３）が表示されたことを特徴とする
黄金分割比率を表示した物差し。
【請求項２】
前記長尺板（１）の縦断面形状が逆台形である請求項１記載の黄金分割比率を表示した物差し。
【請求項３】
前記長尺板（１）の表面に、略コの字状のくり抜き穴（４）が穿設された請求項１又は２記載の黄金分割比率を表示した物差し。
【考案の詳細な説明】
【技術分野】
【０００１】
本考案は黄金分割比率を表示した物差しに関する。
【背景技術】
【０００２】
一般に黄金分割を利用して美術や建築物或いは生け花などの構図が決定されると、調和感や落ち着いた感じを与え、安定した美しいものに仕上げられることが知られている。また物を並べる場合にも黄金分割比率（つまり、１：１．６１８の割合）で順次大きさを変えるか、或いは配置間隔に黄金分割が応用されることもあった。
【０００３】
しかしながら、黄金分割を利用する場合には、メートル尺度或いはインチ尺度の目盛数、特に日本国内に於いてはメートル尺度（メートル系単位とも言う）の目盛数を１．６１８倍にするか、メートル尺度の目盛数を、１：１．６１８の割合で分割するための計算をしなければならず、非常に面倒な作業であった。特には、アニメーション描写方法に於いて、部分描写用として四角形を描き、その中に部分描写を書き込んで行くと、素晴らしい仕上がりとなる。又、身長や木の配分、例えば幹部分と枝部分の長さ比率、円の半径や直径を利用して煙やシャボン玉などを描写する際に黄金分割比率を用いると美しく、且つ安定した描写となる。更に人物画に於いては、目，鼻，身長に対する肩幅や足の長さ，顔などを黄金分割比率が用いられて描かれると美しく描写されたものとなる。しかしながら、部分描写用の四角形を描く際は、整数値であれば換算が容易であるが、背景や対比するものがあるため、殆どの場合が整数値にならず、小数点の付く数値のものが多く必要になり、切上げ及び切下げた各整数値で換算する四角形を参考にし、その中間の大きさとして、目測感覚で大体の四角形を描くか、或いは一々数値を気にせずに始めから目測で四角形を描く場合も多く、初心者には部分描写用の四角形を正確に描くことは困難であった。従って、局部的にアンバランスの描写となり、後から修正する箇所が生じ易かった。
【特許文献１】なし
【考案の開示】
【考案が解決しようとする課題】
【０００４】
本考案は黄金分割比率を利用した四角形の描示や長さの黄金分割が誰にでも簡単に行え、その四角形や長さの黄金分割を用いて図形を描くと、風景画や静止画を美しく描写したものになると共に特にアニメーションを描写する際に必要な小数点の付く数値の大きさの四角形であっても容易に黄金分割比率の四角形を誰にでも簡単に描け、バランスの良い画面描写が簡単に描くことが可能となる黄金分割比率を表示した物差しを提供することを目的とする。
【０００５】
本考案の別目的は特にアニメーションを描写する際に黄金分割比率の四角形が簡単に描け、且つペン書きしても紙が汚れにくくなる黄金分割比率を表示した物差しを提供するにある。
【課題を解決するための手段】
【０００６】
本考案は上記問題点を解消するために成されたものであり、つまり、長尺板の長手方向の一辺にメートル尺度或いはインチ尺度の目盛を表示すると共に他辺には、前記目盛に対応した黄金分割比率の黄金比目盛が表示される物差しと成す。また前記長尺板の縦断面形状を逆台形にすると良く、前記長尺板の表面に略コの字状のくり抜き穴を穿設させると良い。尚、本考案で言う「黄金分割比率」とは、メートル尺度或いはインチ尺度に対して１．６１８倍の比率を指し、黄金比目盛の１目盛の間隔はメートル尺度或いはインチ尺度の目盛の間隔よりも１．６１８倍広くなる。例えば、黄金比目盛が１０の時、メートル尺度では１６．１８ｃｍとなる。又、本考案で言う「黄金分割」とは、１：１．６１８の割合で所定長さが分割されることを指すものとする。
【考案の効果】
【０００７】
請求項１のように長尺板（１）の長手方向の一辺に、メートル尺度或いはインチ尺度の目盛（２）を表示し、他辺には、前記目盛（２）に対応した黄金分割比率の黄金比目盛（３）が表示されることにより、従来行われていた黄金分割比率の換算を行うための計算が不要となり、目盛（２）と黄金比目盛（３）を利用するだけで美術や建築物或いは生け花などの構図が簡単に決定され、調和感や落ち着いた感じを与え、安定した美しいものに仕上げられる。特にアニメーションを描写する際に必要な小数点の付く数値の大きさの四角形であっても容易に黄金分割比率の四角形が誰にでも簡単で正確に描けるため、バランスの良い描写を簡単に描くことが可能になると共に黄金分割比率を利用した四角形や長さの黄金分割を用いて図形が描かれると、風景画や静止画を美しく描写したものになる。従って、従来の如き局部的にアンバランスの描写がなくなり、後から修正する箇所が殆ど生じないものとなる。
【０００８】
請求項２のように長尺板（１）の縦断面形状を逆台形とすることにより、直線を引く場合にインクの滲みが防止でき、紙が汚れにくいものとなる。又、それを裏返して使用すれば普通の物差しと同様に直線がずれずに引けるものとなる。
【０００９】
請求項３に示すように長尺板（１）の表面に、略コの字状のくり抜き穴（４）を穿設させることにより、特にアニメーションを描写する部分描写用の四角形の角がきれいで且つ簡単に描けるものとなる。
【考案を実施するための最良の形態】
【００１０】
図１は本考案の実施形態を示す図であり、これに基づいて説明する。(１)は合成樹脂の長尺板であり、該長尺板（１）の縦断面形状としては、四角形が基本であるが、図２のように逆台形にすると、ペンを使用する際に便利なものとなる。尚、前記長尺板（１）の材質は合成樹脂に限定されるものではなく、例えば竹製，木製，強化ガラス，金属製などを使用しても良い。また合成樹脂製の長尺板（１）は、透明，半透明，不透明の何れを用いても良い。
【００１１】
（２）は長尺板（１）の長手方向の一辺に表示したメートル尺度の目盛であり、該目盛（２）は通常の物差しと同様に、長さを測定するための測定目盛が付されている。この単位長さとして１ｍｍ間隔の目盛が付されると共に１ｃｍ毎に長めの目盛と一緒に整数が順次表示されている。更に５ｍｍ毎の目盛の長さは、１ｍｍと１ｃｍの目盛の各長さの中間の長さで表示されている。一方、図示しないが、前記目盛（２）をメートル尺度の代りにインチ尺度の目盛として表示すれば、輸出用の物差しとなる。
【００１２】
（３）は長尺板（１）の長手方向の他辺に表示した黄金分割比率の黄金比目盛であり、該黄金比目盛（３）の間隔は前記目盛（２）に対応して表示されていると共にこの黄金比目盛（３）の表示方法としては、例えば１６１．８ｃｍを１００等分した目盛が基準とされて表示し、且つ整数も一緒に順次表示されたものとしても良い。また各黄金比目盛（３）の間隔は更に１０等分されると共に中間部には少し長目のものが表示されている（図１、図３参照）。
【００１３】
（４）は長尺板（１）の表面に穿設した略コの字状のくり抜き穴であり、該くり抜き穴（４）は略コの字が上向きと下向きの一対とするのが好ましい（図３参照）。また前記くり抜き穴（４）の幅（太さ）は、筆記具で書ける広さがあれば良く、アニメーションの部分描写用の四角形を描くために用いるものである。
【００１４】
次に本考案の使用方法について説明する。先ず始めアニメーションのコマを描き、必要に応じて黄金分割比率の縦長の四角形を描く。この時の四角形の描き方は、先ず横方向の長さを目盛（２）で測定し、その両端から直角な直線をくり抜き穴（４）を利用して引く。そして、その直角な直線を更に伸ばす。この値は、測定した数字目盛の値に対応する黄金比目盛（３）と同じ値とする［図５（ａ）〜図５（ｃ）参照］。例えば、測定した目盛（２）の値Ａが２．７ｃｍ（横寸法）であれば、黄金比目盛（３）の値Ｂも２．７（縦寸法）とすれば良い。次に図５（ａ）に示すような顔を書き込む。この時、縦方向に中心線を引く。更に下から測って２．７ｃｍの位置から水平線を引けば良い。この中心線と水平線を基準にして目や鼻及び口を書き入れて行けば良い。尚、鼻を書き入れる時には、四角形の中に更に小さな点線の四角形を描いてから書き込むと良い。この時には、鼻の長さを先ず黄金比目盛（３）で測り、その値が例えば０．７（縦寸法）であれば、目盛（２）で０．７ｃｍ（横寸法）の四角形を描き、図５（ｂ）のように鼻を書き込めば良い。図５（ｃ）のような横顔を書き込む場合は、傾けた顔の中心線を引き、その中心線を基にして書き込むと良い。尚、図５（ｂ）は図５（ａ）の図中の点線部分を拡大したものである。
【００１５】
次に長さを黄金分割する場合について説明する。先ず始めに全体の長さＣを黄金比目盛（３）で測定し、その値が５．２であれば、下から目盛（２）で５．２ｃｍの位置に印を付ければ、長い方の黄金分割長さＢとなり、上に短い方の黄金分割長さＡとなる。この時、Ａを目盛（２）で、Ｂを黄金比目盛（３）で測定すれば同じ値になる［図５（ｄ），図５（ｅ）参照］。そして、図５（ｄ）のように人を描く場合には臍の位置に黄金分割位置が来るようにして描き、図５（ｅ）のように木を描く場合には幹と枝の分布範囲を黄金分割位置で区切るようにして書き込むと良い。この時、描く図形に応じて下から目盛（２）で印を付けるだけでなく、図５（ｆ）に示すように上から目盛（２）で５．２ｃｍの位置に印を付けて黄金分割しても良い。そして、図５（ｆ）に示すようにツリーなどを描くと重量感やボリューム感が表現される。又、図５（ｇ）や図５（ｈ）のように黄金分割比率の横長の四角形を描く場合は、縦長の時と反対にすれば良い。つまり、横方向を黄金比目盛（３）で、縦方向を目盛（２）で同じ値で四角形を描く。その後、例えば山や目などの細長いものを書き込めば良い。更に図５（ｉ）や図５（ｊ）に示すようにシャボン玉や煙などを描く場合には、始めの直径或いは半径を黄金比目盛（３）で測り、その値を目盛（２）の直径或いは半径で描いて２番目とし、２番目の直径或いは半径を黄金比目盛（３）で測り、その２番目の値を目盛（２）の直径或いは半径で描いて３番目とし、順次上記要領で直径或いは半径を描いて行けば良い。尚、図５に於けるＡとＢは同じ値であるが、Ａは目盛（２）で測定した場合で、Ｂは黄金比目盛（３）で測定した場合である。
【００１６】
このようにして目盛（２）と黄金比目盛（３）を対比させるだけで黄金分割及びその比率の使用が簡単に可能なものとなり、特にアニメーションに於いて、多くの黄金分割の比率が使用される四角形や長さの黄金分割が誰にでも簡単に描けるものとなる。
【産業上の利用可能性】
【００１７】
本考案はアニメーションだけでなく、本来の美術や建築物或いは生け花などの構図に利用でき、製品開発する際にデザイナーが使用すると、新たな形状を形成する上で重宝なものとなる。
【図面の簡単な説明】
【００１８】
【図１】本考案の実施形態を示す平面図である。
【図２】図１の拡大側面図である。
【図３】本考案の別実施形態を示す平面図である。
【図４】本考案の使用状態を示す説明図である。
【図５】本考案を使用して黄金分割の四角形でアニメーションが描示される例を示す説明図である。
【符号の説明】
【００１９】
１  長尺板
２  目盛
３  黄金比目盛
４  くり抜き穴
【図１】
0003112478.tif 000003
【図２】
0003112478.tif 000004
【図３】
0003112478.tif 000005
【図４】
0003112478.tif 000006
【図５】
0003112478.tif 000007